(57)【要約】【課題】電源を監視する構成が設けられない一般的な負荷を用いた場合にも、電源の状態に基づいて負荷を動作させることが可能な直流集中電源システムを提供する。【解決手段】この直流集中電源システム１００は、所定の制御動作を行う複数のサーバ２と、複数のサーバ２の各々に直流電力を供給する直流集中電源１と、直流集中電源１と複数のサーバ２の各々との配線間に、直列に接続され、直流集中電源１の状態を複数のサーバ２の各々に通知する複数の中継ユニット３と、を備える。直流集中電源１は、直流集中電源１の状態を中継ユニット３に通知し、複数のサーバ２の各々は、中継ユニット３により直流集中電源１の状態がバックアップ運転状態であることが通知された場合に、自身の消費電力を低減させる制御を行うように構成されている。【選択図】図１
2018136691.tif 000002
【特許請求の範囲】
【請求項１】
所定の制御動作を行う複数の負荷と、
交流電源からの交流電力を直流電力に変換する電力変換部と、前記電力変換部により変換された直流電力を蓄電する蓄電部とを含むとともに、前記複数の負荷の各々に直流電力を供給する直流集中電源と、
前記直流集中電源と前記複数の負荷の各々との配線間に、直列に接続され、前記交流電源および前記直流集中電源のうちの少なくとも一方の状態を前記複数の負荷の各々に通知する複数の通信部を含む中継ユニットと、を備え、
前記直流集中電源は、前記状態を監視するとともに前記状態を前記中継ユニットに通知し、
前記複数の負荷の各々は、前記中継ユニットにより前記状態が所定の状態であることが通知された場合に、自身の消費電力を低減させる制御を行うように構成されている、直流集中電源システム。
【請求項２】
前記中継ユニットは、前記状態の通知に加えて、前記直流集中電源から出力される直流電力を前記複数の負荷の各々に供給する制御を行う、請求項１に記載の直流集中電源システム。
【請求項３】
前記複数の負荷の各々は、サーバであり、前記状態が前記所定の状態であることが通知された場合に、省エネルギーモードに移行するか、または、優先度の低い処理動作を停止する、請求項１または２に記載の直流集中電源システム。
【請求項４】
前記直流集中電源は、前記蓄電部によるバックアップ運転を行っている場合に、前記中継ユニットを介して前記直流集中電源のバックアップ運転状態を前記複数の負荷の各々に通知し、
前記複数の負荷の各々は、前記バックアップ運転状態であることが通知されたことに基づいて、前記消費電力を低減させる制御を行う、請求項１〜３のいずれか１項に記載の直流集中電源システム。
【請求項５】
前記直流集中電源は、前記交流電源が異常状態である場合に、前記中継ユニットを介して前記交流電源の異常状態を前記複数の負荷の各々に通知し、
前記複数の負荷の各々は、前記通知に基づいて、前記消費電力を低減させる制御を行う、請求項１〜４のいずれか１項に記載の直流集中電源システム。
【請求項６】
前記直流集中電源は、前記中継ユニットを介して前記状態が前記所定の状態であることを前記複数の負荷の各々に通知する場合に、前記状態の通知に加えて、前記中継ユニットを介して前記複数の負荷の各々に消費電力の指令値を通知する、請求項１〜５のいずれか１項に記載の直流集中電源システム。
【発明の詳細な説明】
【技術分野】
【０００１】
この発明は、直流集中電源システムに関し、特に、直流集中電源により複数の負荷に電力を供給する直流集中電源システムに関する。
【背景技術】
【０００２】
従来、直流集中電源により複数の負荷に電力を供給する直流集中電源システムが知られている（たとえば、特許文献１参照）。
【０００３】
上記特許文献１の情報処理システムには、無停電電源装置と、無停電電源装置から電力が供給される複数のサーバとが備えられている。無停電電源装置と複数のサーバとは、ネットワークにより接続されている。複数のサーバの各々には、ネットワークを介して、無停電電源装置を監視する監視プロセスが設けられている。監視プロセスの各々が無停電電源装置につながる商用電源の停電を所定の時間経過して検知した場合、複数のサーバの各々はシャットダウンするように構成されている。
【先行技術文献】
【特許文献】
【０００４】
【特許文献１】特開２００９−１７６３２７号公報
【発明の概要】
【発明が解決しようとする課題】
【０００５】
ここで、従来の情報処理システムにおいて用いられている一般的なサーバには、無停電電源装置を監視する監視プロセスは設けられていない。しかしながら、上記特許文献１に記載の情報処理システムでは、無停電電源装置を監視するために、監視プロセスが別途設けられたサーバが必要であるため、一般的なサーバにこの情報処理システムを適用するのが困難であるという不都合がある。すなわち、この情報処理システムにおいて一般的なサーバ（負荷）を用いた場合では、電源を監視することができないので、監視された電源の状態に基づいて負荷を動作させるのが困難であるという問題点がある。
【０００６】
この発明は、上記のような課題を解決するためになされたものであり、この発明の１つの目的は、電源を監視する構成が設けられない一般的な負荷を用いた場合にも、電源の状態に基づいて負荷を動作させることが可能な直流集中電源システムを提供することである。
【課題を解決するための手段】
【０００７】
上記目的を達成するために、この発明の一の局面による直流集中電源システムは、所定の制御動作を行う複数の負荷と、交流電源からの交流電力を直流電力に変換する電力変換部と、電力変換部により変換された直流電力を蓄電する蓄電部とを含むとともに、複数の負荷の各々に直流電力を供給する直流集中電源と、直流集中電源と複数の負荷の各々との配線間に、直列に接続され、交流電源および直流集中電源のうちの少なくとも一方の状態を複数の負荷の各々に通知する複数の通信部を含む中継ユニットと、を備え、直流集中電源は、上記状態を監視するとともに上記状態を中継ユニットに通知し、複数の負荷の各々は、中継ユニットにより上記状態が所定の状態であることが通知された場合に、自身の消費電力を低減させる制御を行うように構成されている。
【０００８】
この発明の一の局面による直流集中電源システムでは、上記のように、中継ユニットの通信部により、交流電源および直流集中電源のうちの少なくとも一方の状態が複数の負荷の各々に通知される。これにより、負荷に交流電源および直流集中電源のうちの少なくとも一方の状態を監視する構成を別途設けることなく、負荷は中継ユニットを介して交流電源および直流集中電源のうちの少なくとも一方の状態を得ることができる。その結果、電源を監視する構成が設けられない一般的な負荷を用いた場合にも、電源の状態に基づいて負荷を動作させることができる。
【０００９】
また、複数の負荷の各々は、中継ユニットにより交流電源および直流集中電源のうちの少なくとも一方の状態が所定の状態であることが通知された場合に、消費電力を低減させるように自身の処理動作または状態を制御するように構成されている。すなわち、複数の負荷の各々は、自身をシャットダウンすることにより消費電力をゼロにすることなく、シャットダウン以外の方法により自身の消費電力を低減させるように構成されている。これにより、負荷をシャットダウンさせることなく、処理を継続することができる。
【００１０】
また、直流集中電源が、交流電源および直流集中電源のうちの少なくとも一方の状態を一括で監視するので、複数の負荷の各々が、交流電源および直流集中電源のうちの少なくとも一方の状態を監視する場合に比べて、状態監視制御を簡略化することができる。
【００１１】
上記一の局面による直流集中電源システムにおいて、好ましくは、中継ユニットは、上記状態の通知に加えて、直流集中電源から出力される直流電力を複数の負荷の各々に供給する制御を行う。このように構成すれば、複数の負荷への上記状態の通知と直流電力の供給とを、別個の機器により行う必要がない。その結果、直流集中電源システムの部品点数の増加を抑制することができるとともに、システム構成を簡略化することができる。
【００１２】
上記一の局面による直流集中電源システムにおいて、好ましくは、複数の負荷の各々は、サーバであり、上記状態が所定の状態であることが通知された場合に、省エネルギーモードに移行するか、または、優先度の低い処理動作を停止する。このように構成すれば、負荷をシャットダウンさせる場合とは異なり、優先度の高い処理動作を停止させることなく、消費電力を容易に低減することができる。
【００１３】
上記一の局面による直流集中電源システムにおいて、好ましくは、直流集中電源は、蓄電部によるバックアップ運転を行っている場合に、中継ユニットを介して直流集中電源のバックアップ運転状態を複数の負荷の各々に通知し、複数の負荷の各々は、バックアップ運転状態であることが通知されたことに基づいて、消費電力を低減させる制御を行う。このように構成すれば、蓄電部に充電された電力が消費される速度を遅くすることができる。その結果、バックアップ運転を長く継続させることができる。
【００１４】
上記一の局面による直流集中電源システムにおいて、好ましくは、直流集中電源は、交流電源が異常状態である場合に、中継ユニットを介して交流電源の異常状態を複数の負荷の各々に通知し、複数の負荷の各々は上記通知に基づいて、消費電力を低減させる制御を行う。ここで、交流電源が異常状態になった場合は、蓄電部によるバックアップ運転が行われる。したがって、複数の負荷の各々に交流電源が異常状態であることが通知されたことに基づいて、複数の負荷の各々の消費電力を低減させることによって、バックアップ運転をより長く継続させることができる。また、交流電源の状態に基づいて制御を行うことによって、交流電源による蓄電部への充電が正常に行われているか否かを把握した状態で制御を行うことができる。これにより、バックアップ運転をより適切に行うことができる。
【００１５】
上記一の局面による直流集中電源システムにおいて、好ましくは、直流集中電源は、中継ユニットを介して上記状態が所定の状態であることを複数の負荷の各々に通知する場合に、上記状態の通知に加えて、中継ユニットを介して複数の負荷の各々に消費電力の指令値を通知する。このように構成すれば、複数の負荷の各々は、交流電源および直流集中電源のうちの少なくとも一方の状態が所定の状態であることが通知された場合に、通知された消費電力の指令値に基づいて自身の消費電力を低減させる制御を行う。その結果、蓄電部に充電された電力に応じた適切なバックアップ運転を行うことができる。
【発明の効果】
【００１６】
本発明によれば、上記のように、電源を監視する構成が設けられない一般的な負荷を用いた場合にも、電源の状態に基づいて負荷を動作させることができる。
【図面の簡単な説明】
【００１７】
【図１】本発明の一実施形態による直流集中電源システムのブロック図である。
【図２】本発明の一実施形態による直流集中電源システムの直流集中電源の構成を示す図である。
【図３】本発明の一実施形態による直流集中電源システムの中継ユニットの構成を示す図である。
【図４】本発明の一実施形態による直流集中電源システムのシーケンス図である。
【発明を実施するための形態】
【００１８】
以下、本発明を具体化した実施形態を図面に基づいて説明する。
【００１９】
［本実施形態］
図１〜図４を参照して、本実施形態による直流集中電源システム１００の構成について説明する。
【００２０】
（直流集中電源システムの構成）
まず、図１を参照して、直流集中電源システム１００の概略の構成について説明する。図１に示すように、直流集中電源システム１００は、直流集中電源１を備える。直流集中電源１は、交流電力を出力する交流電源２００に接続されている。
【００２１】
直流集中電源システム１００は、所定の制御動作（たとえば、アプリケーションプログラム）を行う複数のサーバ２を備える。なお、複数のサーバ２の各々では、複数の制御動作が行われるように構成されている。複数のサーバ２の各々には、直流集中電源１からの直流電力が供給されている。なお、サーバ２は、特許請求の範囲の「負荷」の一例である。
【００２２】
直流集中電源システム１００は、直流集中電源１と複数のサーバ２との配線間に、直列に接続された複数の中継ユニット３を備える。中継ユニット３とサーバ２とは同数設けられており、１つの中継ユニット３と１つのサーバ２とは一対に構成されているとともに電気的に接続されている。以下では、中継ユニット３とサーバ２との間のやりとり（電力供給および情報の通知）は、一対に構成されている中継ユニット３とサーバ２との間において行われているものとして説明する。
【００２３】
また、複数の中継ユニット３の各々と直流集中電源１とは、直流バスバー４により接続されている。直流バスバー４を介して、直流集中電源１から複数の中継ユニット３の各々に直流電力が供給されている。
【００２４】
ここで、本実施形態では、複数の中継ユニット３は、それぞれ、後述する直流集中電源１の状態の通知に加えて、直流集中電源１から出力される直流電力を複数のサーバ２の各々に供給する制御を行うように構成されている。具体的には、中継ユニット３は、直流集中電源１から中継ユニット３に供給された直流電力を、電力変換せずに（直流電力のまま）サーバ２に供給している。
【００２５】
また、直流集中電源１と複数の中継ユニット３の各々とは、ネットワーク３００を介して通信可能に構成されている。直流集中電源１は、交流電源２００および直流集中電源１の状態を監視するとともに、直流集中電源１の状態をネットワーク３００を介して中継ユニット３に通知するように構成されている。なお、交流電源２００および直流集中電源１の状態の監視、および、直流集中電源１の状態の通知の詳細に関しては、後述する。
【００２６】
図２に示すように、直流集中電源１は、ＡＣ／ＤＣ変換部１０を含む。ＡＣ／ＤＣ変換部１０は、交流電源２００からの交流電力を直流電力に変換するように構成されている。なお、ＡＣ／ＤＣ変換部１０は、特許請求の範囲の「電力変換部」の一例である。
【００２７】
直流集中電源１は、バッテリ１１を含む。バッテリ１１は、ＡＣ／ＤＣ変換部１０により変換された直流電力を蓄電するように構成されている。なお、バッテリ１１は、特許請求の範囲の「蓄電部」の一例である。
【００２８】
通常動作時においては、ＡＣ／ＤＣ変換部１０により変換された直流電力が直接、直流バスバー４を介して複数の中継ユニット３に供給される。また、後述する、バッテリ１１によるバックアップ運転時においては、バッテリ１１に充電された直流電力が、直流バスバー４を介して複数の中継ユニット３に供給される。なお、直流集中電源１は、交流電源２００の直流集中電源１への入力状態が異常である場合に、バッテリ１１によるバックアップ運転を行うように構成されている。
【００２９】
直流集中電源１は、制御部１２と、ネットワークインターフェース１３とを含む。制御部１２により、交流電源２００および直流集中電源１の状態が監視されている。具体的には、制御部１２は、交流電源２００の直流集中電源１への入力状態、および、バッテリ１１の状態を監視している。
【００３０】
また、制御部１２により監視されている直流集中電源１の状態が、ネットワークインターフェース１３およびネットワーク３００を介して、中継ユニット３の後述するネットワークインターフェース３０（図３参照）に通知される。
【００３１】
図３に示すように、中継ユニット３は、ネットワークインターフェース３０と制御部３１とを含む。なお、ネットワークインターフェース３０は、特許請求の範囲の「通信部」の一例である。
【００３２】
複数の中継ユニット３は、中継ユニット３に通知された直流集中電源１（図１参照）の状態を、複数のサーバ２の各々に通知する。具体的には、ネットワークインターフェース３０に通知された直流集中電源１の状態が、制御部３１により複数のサーバ２の各々に通知される。なお、制御部３１とサーバ２とは、ＰＭＢｕｓ（登録商標）の規格に基づいた通信を行う。
【００３３】
ここで、本実施形態では、図１に示すように、複数のサーバ２の各々は、中継ユニット３により直流集中電源１の状態がバッテリ１１（図２参照）によるバックアップ運転状態であることが通知された場合に、消費電力を低減させるように自身の処理動作または状態を制御するように構成されている。具体的には、複数のサーバ２の各々は、他のサーバ２の制御に関わらず、独立して自身の処理動作または状態を制御するように構成されている。なお、バックアップ運転状態は、特許請求の範囲の「所定の状態」の一例である。
【００３４】
また、本実施形態では、直流集中電源１は、中継ユニット３を介してバッテリ１１（図２参照）によるバックアップ運転状態を複数のサーバ２の各々に通知する場合に、バックアップ運転状態であることの通知に加えて、中継ユニット３を介して複数のサーバ２の各々に消費電力の指令値を通知するように構成されている。この場合、直流集中電源１は、ネットワーク３００を介して、複数の中継ユニット３に消費電力の指令値を通知する。消費電力の指令値を通知された中継ユニット３は、通知された消費電力の指令値をサーバ２に通知する。
【００３５】
たとえば、直流集中電源システム１００に、４つのサーバ２が設けられており、バッテリ１１（図２参照）による消費可能電力が５ｋＷであるとする。この場合、直流集中電源１は、４つのサーバ２の消費電力がそれぞれ、１．５ｋＷ、１．５ｋＷ、１ｋＷ、および、１ｋＷになるように消費電力の指令値を通知する。なお、各サーバ２に対する消費電力の指令値はこれに限られない。
【００３６】
また、本実施形態では、複数のサーバ２の各々は、中継ユニット３により直流集中電源１の状態がバックアップ運転状態であることが通知された場合に、省エネルギーモードに移行するか、または、優先度の低い処理動作を停止するように構成されている。具体的には、複数のサーバ２の各々は、省エネルギーモードへの移行、または、優先度の低い処理動作の停止のいずれかの制御を行うことが可能に構成されている。
【００３７】
詳細には、省エネルギーモードに移行可能なサーバ２は、内部のクロック周波数を小さくし、複数の所定の制御動作の処理速度を一律に遅くすることにより、省エネルギーモードに移行するように構成されている。
【００３８】
この場合、直流集中電源１からの消費電力の指令値に基づいて、クロック周波数が制御されるように構成されている。たとえば、消費電力の指令値が比較的大きい場合は、クロック周波数は比較的小さく低減される。また、消費電力の指令値が比較的小さい場合は、クロック周波数は比較的大きく低減される。なお、消費電力の指令値に対するクロック周波数の低減量は、予めサーバ２内において設定されている。
【００３９】
また、優先度の低い処理動作を停止可能なサーバ２は、複数の所定の制御動作のうち、使用頻度に基づいて設定された優先度が低い制御動作を停止するように構成されている。すなわち、使用頻度が高い制御動作は優先度が高く、使用頻度が低い制御動作は優先度が低く設定されている。なお、制御動作を停止する対象として優先度が略等しい複数の制御動作がある場合は、優先度が略等しい複数の制御動作のうちの消費電力の大きい制御動作が優先的に停止されるように構成されている。
【００４０】
この場合、直流集中電源１からの消費電力の指令値に基づいて、複数の制御動作のうちのいずれが停止されるかが決定されるように構成されている。たとえば、消費電力の指令値が比較的大きい場合は、優先度が最も低い制御動作のみが停止される。また、消費電力の指令値が比較的小さい場合は、優先度が最も低い制御動作に加え、少なくとも優先度が次に低い制御動作が停止される。なお、制御動作の停止の方法（停止させる制御動作の選択方法）は、これに限られない。また、消費電力の指令値に対する制御動作の停止の方法は、予めサーバ２内において設定されている。
【００４１】
（直流集中電源システムのシーケンス制御）
次に、図４を参照して、本実施形態の直流集中電源システム１００（図１参照）の直流集中電源１（図１参照）のバックアップ運転時のシーケンス制御について説明する。なお、図４では、簡略化のため、１つのサーバ２のみが記載されているが、実際には複数のサーバ２が同様に制御を行っている。
【００４２】
図４に示すように、まず、直流集中電源１が、直流集中電源１がバックアップ運転状態であることを中継ユニット３に通知する。次に、中継ユニット３が、直流集中電源１がバックアップ運転状態であることを複数のサーバ２の各々に通知する。そして、複数のサーバ２の各々は、直流集中電源１がバックアップ運転状態であることが通知されたことに基づいて、自身を省エネルギーモードに移行するか、または、優先度が低い制御動作を停止させる制御を行う。
【００４３】
なお、バックアップ運転により、バッテリ１１（図２参照）の充電電力がなくなった場合は、複数のサーバ２の各々をシャットダウンするようにしてもよい。
【００４４】
（本実施形態の効果）
本実施形態では、以下のような効果を得ることができる。
【００４５】
本実施形態では、上記のように、直流集中電源１が、交流電源２００および直流集中電源１の状態を監視するとともに直流集中電源１の状態を中継ユニット３に通知し、複数のサーバ２の各々が、中継ユニット３により直流集中電源１の状態がバックアップ運転状態であることが通知された場合に、自身の消費電力を低減させる制御を行うように、直流集中電源システム１００を構成する。これにより、サーバ２に交流電源２００および直流集中電源１の状態を監視する構成を別途設けることなく、サーバ２は中継ユニット３を介して交流電源２００および直流集中電源１の状態を得ることができる。その結果、交流電源２００および直流集中電源１を監視する構成が設けられない一般的なサーバ２を用いた場合にも、交流電源２００および直流集中電源１の状態に基づいてサーバ２を動作させることができる。
【００４６】
また、複数のサーバ２の各々は、中継ユニット３により直流集中電源１の状態がバックアップ運転状態であることが通知された場合に、消費電力を低減させるように自身の処理動作または状態を制御するように構成されている。すなわち、複数のサーバ２の各々は、自身をシャットダウンすることにより消費電力をゼロにすることなく、シャットダウン以外の方法により自身の消費電力を低減させるように構成されている。これにより、サーバ２をシャットダウンさせることなく、処理を継続することができる。
【００４７】
また、直流集中電源１が、交流電源２００および直流集中電源１の状態を一括で監視するので、複数のサーバ２の各々が、交流電源２００および直流集中電源１の状態を監視する場合に比べて、状態監視制御を簡略化することができる。
【００４８】
また、本実施形態では、上記のように、中継ユニット３が、上記状態の通知に加えて、直流集中電源１から出力される直流電力を複数のサーバ２の各々に供給する制御を行うように、直流集中電源システム１００を構成する。これにより、複数のサーバ２への上記状態の通知と直流電力の供給とを、別個の機器により行う必要がない。その結果、直流集中電源システム１００の部品点数の増加を抑制することができるとともに、システム構成を簡略化することができる。
【００４９】
また、本実施形態では、上記のように、複数のサーバ２の各々が、直流集中電源１の状態がバックアップ運転状態であることが通知された場合に、省エネルギーモードに移行するか、または、優先度の低い処理動作を停止するように、直流集中電源システム１００を構成する。これにより、サーバ２をシャットダウンさせる場合とは異なり、優先度の高い処理動作を停止させることなく、消費電力を容易に低減することができる。また、バックアップ運転状態において、バッテリ１１に充電されている電力の消費が抑制されるので、優先度の高い処理動作が短時間で停止するのを抑制することができる。
【００５０】
また、本実施形態では、上記のように、直流集中電源１が、バッテリ１１によるバックアップ運転を行っている場合に、中継ユニット３を介して直流集中電源１のバックアップ運転状態を複数のサーバ２の各々に通知する。そして、複数のサーバ２の各々が、バックアップ運転状態であることが通知されたことに基づいて、消費電力を低減させる制御を行うように、直流集中電源システム１００を構成する。これにより、バッテリ１１に充電された電力が消費される速度を遅くすることができる。その結果、バックアップ運転を長く継続させることができる。
【００５１】
また、本実施形態では、上記のように、直流集中電源１が、中継ユニット３を介して直流集中電源１の状態がバックアップ運転状態であることを複数のサーバ２の各々に通知する場合に、上記状態の通知に加えて、中継ユニット３を介して複数のサーバ２の各々に消費電力の指令値を通知するように構成されている。これにより、複数のサーバ２の各々は、直流集中電源１の状態がバックアップ運転状態であることが通知された場合に、通知された消費電力の指令値に基づいて自身の消費電力を低減させる制御を行う。その結果、バッテリ１１に充電された電力に応じた適切なバックアップ運転を行うことができる。
【００５２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５３】
たとえば、上記実施形態では、直流集中電源１がバックアップ運転状態であることが負荷（サーバ２）に通知された場合に、負荷（サーバ２）が消費電力を低減させる制御を行う例を示したが、本発明はこれに限られない。たとえば、負荷（サーバ２）は、直流集中電源１により通知された交流電源２００の状態に基づいて、消費電力を低減させる制御を行ってもよい。
【００５４】
すなわち、本実施形態では、直流集中電源１は、交流電源２００が異常状態である場合に、中継ユニット３を介して交流電源２００の異常状態を複数の負荷（サーバ２）の各々に通知する。そして、複数の負荷（サーバ２）の各々は、上記通知に基づいて、消費電力を低減させる制御を行う。具体的には、複数の負荷（サーバ２）の各々は、交流電源２００が停電状態であることが通知されたことに基づいて、消費電力を低減させる制御を行うように構成されている。なお、異常状態は、特許請求の範囲の「所定の状態」の一例である。また、停電状態は、特許請求の範囲の「所定の状態」および「異常状態」の一例である。
【００５５】
ここで、交流電源２００が停電状態になった場合は、蓄電部（バッテリ１１）によるバックアップ運転が行われる。したがって、複数の負荷（サーバ２）の各々に交流電源２００が停電状態であることが通知されたことに基づいて、複数の負荷（サーバ２）の各々の消費電力を低減させることによって、バックアップ運転をより長く継続させることができる。また、交流電源２００の状態に基づいて制御を行うことによって、交流電源２００による蓄電部（バッテリ１１）への充電が正常に行われているか否かを把握した状態で制御を行うことができる。これにより、バックアップ運転をより適切に行うことができる。
【００５６】
なお、直流集中電源１の状態、および、交流電源２００の状態の両方が、中継ユニット３を介して複数の負荷（サーバ２）通知されるように構成されていてもよい。
【００５７】
また、上記実施形態では、直流集中電源１は、交流電源２００の停電状態、および、直流集中電源１のバックアップ運転状態の両方を監視する例を示したが、本発明はこれに限られない。たとえば、直流集中電源１は、交流電源２００の停電状態、または、直流集中電源１のバックアップ運転状態のうちのいずれか一方を監視するように構成されていてもよい。
【００５８】
また、上記実施形態では、交流電源２００の状態、または、直流集中電源１の状態の情報が、ＰＭＢｕｓの規格に基づいて、中継ユニット３の制御部３１から負荷（サーバ２）に通知される例を示したが、本発明はこれに限られない。たとえば、交流電源２００の状態、または、直流集中電源１の状態の情報を、ＰＭＢｕｓ以外の規格に基づいて、制御部３１から負荷（サーバ２）に通知してもよい。
【００５９】
また、上記実施形態では、負荷（サーバ２）を省エネルギーモードに移行する場合に、負荷（サーバ２）の複数の制御動作を一律に省エネルギーモードに移行する例を示したが、本発明はこれに限られない。たとえば、複数の制御動作のうちの一部だけを省エネルギーモードに移行してもよい。
【００６０】
また、上記実施形態では、複数の制御動作の各々の使用頻度に基づいて、制御動作の停止の優先度を決定する例を示したが、本発明はこれに限られない。たとえば、使用頻度以外の情報に基づいて、優先度が決定されてもよい。
【００６１】
また、上記実施形態では、複数の負荷（サーバ２）の各々は、省エネルギーモードへの移行、または、優先度の低い処理動作の停止のいずれかの制御を行うことが可能に構成されている例を示したが、本発明はこれに限られない。たとえば、複数の負荷（サーバ２）の各々が、省エネルギーモードへの移行、および、優先度の低い処理動作の停止の両方を行うことが可能に構成されていてもよい。
【００６２】
また、上記実施形態では、ネットワーク３００を介して、直流集中電源１と中継ユニット３との通信を行う構成を示したが、本発明はこれに限られない。たとえば、ネットワーク以外の通信手段（たとえば電力線（直流バスバー４）を通信回線として利用するＰＬＣ（Ｐｏｗｅｒ  Ｌｉｎｅ  Ｃｏｍｍｕｎｉｃａｔｉｏｎ））を用いて、直流集中電源１と中継ユニット３との通信を行ってもよい。
【００６３】
また、上記実施形態では、制御動作を停止する対象として優先度が略等しい複数の制御動作がある場合は、優先度が略等しい複数の制御動作のうちの消費電力の大きい制御動作が優先的に停止されるように構成されている例を示したが、本発明はこれに限られない。たとえば、優先度が略等しい複数の制御動作の全てを起動状態のままにしておくか、または、複数の制御動作の全てを停止状態にしてもよい。
【符号の説明】
【００６４】
１  直流集中電源
２  負荷（サーバ）
３  中継ユニット
１０  電力変換部（ＡＣ／ＤＣ変換部）
１１  バッテリ（蓄電部）
３０  ネットワークインターフェース（通信部）
１００  直流集中電源システム
２００  交流電源
【図１】
2018136691.tif 000003
【図２】
2018136691.tif 000004
【図３】
2018136691.tif 000005
【図４】
2018136691.tif 000006